(57)【要約】【課題】商品の選択や、その商品の注文数量の入力がしやすく、費用見積が簡単にでき、かつ注文確定までを短時間で行える電子商取引システムを提供する。【解決手段】購入者の通信端末器２０に表示される商品選択画面情報は、複数の関連商品について、それらの商品に共通する共通事項を表示する共通欄３０と、個々の商品の単価を含む情報を桝目状に表示させる一覧表欄４０と、該一覧表欄４０のそれぞれの商品に対応して少なくとも購入数を入力する入力操作窓部４１ｂを有した構成とされており、販売者サーバ１０は、購入者が商品選択画面情報に、商品の購入数を含む必要な選択情報を入力し、更に合計金額演算指令を送信して来たときには、商品選択画面情報を合計金額を表示したものに更新して、購入者の通信端末器２０に返信する。【選択図】図１
2007115184.tif 000002
【特許請求の範囲】
【請求項１】
購入者が通信端末器を操作することによって、通信ネットワークを介して、販売者サーバをアクセスして、商品選択画面情報を表示させて、その商品選択画面上で商品を選択し、注文する電子商取引システムにおいて、
上記商品選択画面情報は、
複数の関連商品について、それらの商品に共通する共通事項を表示する共通欄と、個々の商品の単価を含む情報を桝目状に表示させる一覧表欄と、該一覧表欄のそれぞれの商品に対応して少なくとも購入数を入力する入力操作窓部を有した構成とされており、
上記販売者サーバは、購入者が上記商品選択画面情報に、上記商品の購入数を含む必要な選択情報を入力し、更に合計金額演算指令を送信して来たときには、上記商品選択画面情報を購入合計金額を表示したものに更新して、購入者の通信端末器に返信することを特徴とする電子商取引システム。
【請求項２】
購入者が通信端末器を操作することによって、通信ネットワークを介して、販売者サーバをアクセスして、商品選択画面情報を表示させて、その商品選択画面上で商品を選択し、注文する電子商取引システムにおいて、
上記商品選択画面情報は、
複数の関連商品について、それらの商品に共通する共通事項を表示する共通欄と、個々の商品の単価を含む情報を桝目状に表示させる一覧表欄と、該一覧表欄のそれぞれの商品に対応して少なくとも購入数を入力する入力操作窓部を有し、かつ所定の演算プログラムがスクリプトコマンドとして付加された構成になっており、
上記通信端末器は、上記商品選択画面情報をダウンロードして表示させた状態で、上記商品の購入数を含む必要な選択情報が入力され、更に合計金額演算指令を受け付けたときには、上記演算プログラムを実行させて上記商品選択画面情報とともに、購入合計金額を表示させることを特徴とする電子商取引システム。
【請求項３】
請求項１に記載された電子商取引システムであって、
上記購入者の通信端末器は、上記販売者から配信された販売支援ソフトを予めインストールしておき、
上記販売者サーバをアクセスし、上記商品サーバより商品選択画面情報をダウンロードして表示させた後、その商品選択画面情報に所望の商品の選択情報を入力したときには、上記販売支援ソフトを稼動連携させて、購入合計金額を表示させる構成にしている電子商取引システム。
【請求項４】
請求項１〜３のいずれかにおいて、
上記販売者サーバまたは上記通信端末器は、上記複数の商品選択画面を操作して商品選択情報が入力されたときには、それらの商品選択画面で選択された商品の購入合計金額を集計した全合計金額を表示する構成にしている電子商取引システム。
【請求項５】
請求項１〜４のいずれかにおいて、
上記商品選択画面情報の上記共通欄、上記一覧表欄の少なくともいずれかには、シンボルや絵、写真で表示された商品情報が含まれていることを特徴とする電子商取引システム。
【発明の詳細な説明】
【技術分野】
【０００１】
本発明は、購入者が通信端末器を操作し通信ネットワークを介して、販売者サーバをアクセスして商品を注文する電子商取引システムを改良したもので、特に購入者による商品選択と見積作成を容易にして、購入者の便宜を図ったものである。
【背景技術】
【０００２】
近年、インターネットを利用したＢｔｏＢ、ＢｔｏＣなどの電子商取引システムが数多くの企業、商店等において実施されている。
【０００３】
例えば、電子書店であれば、ユーザはパソコン等の通信端末器を操作して電子書店サイトをアクセスし、作家名などのキーワードを画面から入力指定すると、電子書店サイトでは、そのキーワードをもとに書籍データベースを検索し、検索された書籍を要求があったユーザのパソコン画面上に一覧表示して、ユーザがその中から所望の書籍を選択して注文できるようになっている。
【０００４】
また、ユーザに大分類、中分類、小分類と順次選択させて、特定の商品群まで絞り込ませ、その商品群に含まれる各商品の、商品別の商品見本画像や販売単価、仕様等を個別商品明細として画面上に一覧表示させて、その中から所望のものを選択させるようにしたものもある。
【０００５】
次の特許文献には、商品を一覧で数量入力と注文ができるようにした電子商取引システムが記載されている。
【特許文献１】特開２００２−１６９９８３号公報
【発明の開示】
【発明が解決しようとする課題】
【０００６】
ところで、複数の関連商品について商品一覧表を表示させる場合、それら複数の商品が相互に関連のあるものであっても、販売単価や詳細な仕様等が異なれば、それらを個別に表示する必要があり、また購入数の入力を受け付ける入力窓も個別に必要であるため、近年の電子商取引システムでは、そのような表示欄と入力窓を含んだ明細欄を列状に連ねて一覧表として画面表示しているものが通例となっている。
【０００７】
したがって、関連商品の数が多ければ、商品一覧表は、画面の縦方向（または横方向）に連続表示されるため、１画面に収まらない場合があり、一覧表をスクロールするか改ページする必要がある。特に、商品画像を個別に表示させる場合には、明細欄の表示量が大きくなり、なんどもスクロールや改ページを繰り返さなければならないこともある。
【０００８】
例えば、色、サイズごとに単価が種々異なる１０色、５サイズの衣服の場合、合計５０の個別商品の明細欄を列状に配列させた一覧表で画面表示しなければならないが、明細欄を小さく表示しなければ一覧表は複数ページに及んでしまう。また、むりに１ページに収めようとすると、一覧表が見にくくなり、商品選択や購入数入力の操作誤りが発生するおそれがある。
【０００９】
また、抽出キーにより、商品一覧表が１ページ内に表示できるように絞り込むようにしてもよいが、抽出誤りや追加があった場合には、なんどもやり直さなければならず、かえって手間がかかることとなる。
【００１０】
また、上記のような列配列の一覧表の場合、商品を選択して数量を入力しても、選択した購入希望の商品の合計金額は、同一ページに表示されず、画面を切り替えて、商品確定あるいは注文確定などのステップに進まなければ表示されないものが一般的であり、そのため、予算オーバーの場合などは元の画面に戻ってやり直さなければならず、操作がきわめて面倒である。
【００１１】
本発明は、以上のような事情を考慮して提案されたもので、その目的は、商品の選択や、選択された商品の予定購入数の入力がしやすく、費用見積が簡単にでき、かつ注文確定までを短時間で行える電子商取引システムを提供することにある。
【課題を解決するための手段】
【００１２】
上記目的を達成するために、請求項１に記載の電子商取引システムは、購入者が通信端末器を操作することによって、通信ネットワークを介して、販売者サーバをアクセスして、商品選択画面情報を表示させて、その商品選択画面上で商品を選択し、注文する電子商取引システムにおいて、次のような特徴を有している。
【００１３】
すなわち、商品選択画面情報は、複数の関連商品について、それらの商品に共通する共通事項を表示する共通欄と、個々の商品の単価を含む情報を桝目状に表示させる一覧表欄と、該一覧表欄のそれぞれの商品に対応して少なくとも購入数を入力する入力操作窓部を有した構成とされており、販売者サーバは、購入者が上記商品選択画面情報に、商品の購入数を含む必要な選択情報を入力し、更に合計金額演算指令を送信して来たときには、商品選択画面情報を購入合計金額を表示したものに更新して、購入者の通信端末器に返信する。
【００１４】
請求項２では、商品選択画面情報は、複数の関連商品について、それらの商品に共通する共通事項を表示する共通欄と、個々の商品の単価を含む情報を桝目状に表示させる一覧表欄と、該一覧表欄のそれぞれの商品に対応して少なくとも購入数を入力する入力操作窓部を有し、かつ所定の演算プログラムがスクリプトコマンドとして付加された構成になっており、通信端末器は、商品選択画面情報をダウンロードして表示させた状態で、商品の購入数を含む必要な選択情報が入力され、更に合計金額演算指令を受け付けたときには、演算プログラムを実行させて商品選択画面情報とともに、購入合計金額を表示させるようにしている。
【００１５】
請求項３に記載の電子商取引システムは、請求項１に記載された電子商取引システムであって、購入者の通信端末器は、販売者から配信された販売支援ソフトを予めインストールしておき、販売者サーバをアクセスし、商品サーバより商品選択画面情報をダウンロードして表示させた後、その商品選択画面情報に所望の商品の選択情報を入力したときには、販売支援ソフトを稼動連携させて、購入合計金額を表示させる構成にしている。
【００１６】
請求項４では、商品選択画面は、複数種類の関連商品を表示するための複数画面で構成され、これら各商品選択画面情報は、総合計金額表示窓部をさらに有した構成となっており、販売者サーバまたは通信端末器は、選択済みの商品選択画面の合計金額を合算して総合計金額表示窓部に表示する構成にしている。
【００１７】
請求項５では、商品選択画面情報の上記共通欄、上記一覧表欄の少なくともいずれかには、シンボルや絵、写真で表示された商品情報が含まれていることを特徴とする。
【発明の効果】
【００１８】
請求項１に記載の電子商取引システムによれば、複数の関連商品について、それらの商品に共通する情報を表示する共通欄と、個々の商品の単価を含む情報を、所定の分類に応じて区分し、桝目状に表示した一覧表欄とを同一の商品選択画面に表示しているため、購入者は複数の関連商品を注文したい場合でも、画面を切り替えることなく短時間で商品を選択することができる。
【００１９】
また、販売者サーバは、購入者がその商品選択画面に含まれる、購入数を入力する入力操作窓部に予定購入数を入力し見積を要求したときには、合計金額を表示更新するようにしているため、購入者は商品選択画面で選択した複数の商品についての見積金額を即座に知ることができる。
【００２０】
請求項２に記載の電子商取引システムによれば、入力操作窓部への予定購入数にもとづく合計金額の演算、表示を、販売者サーバによらず通信端末器側で、商品選択画面情報に含ませて送られてきた合計金額演算プログラムにもとづいて行っているため、さらに時間短縮できる。
【００２１】
請求項３に記載の電子商取引システムによれば、購入者の通信端末器が販売者サーバをアクセスし、販売者サーバより商品選択画面情報をダウンロードして表示させた後、所望の商品の選択情報を入力したときには、販売者サーバから予め配信された販売支援ソフトを連携させて、合計金額を表示させる構成にしているため、通信端末器側だけで見積計算ができ、さらに購入履歴、商品ポイントの自動累計など、購入者に便利な情報をブラウザと連携してフォルダに自動格納することもできる。
【００２２】
請求項４に記載の電子商取引システムによれば、複数の選択済みの商品選択画面で算出された合計金額を合算するようにしているため、購入者は他の画面に切り替えることなく選択した商品の総合計金額を知ることができる。
【００２３】
請求項５に記載の電子商取引システムによれば、共通欄、一覧表欄の少なくともいずれかには、シンボルや絵、写真で表示された商品情報が含まれているため、購入者は商品を選択しやすく、入力誤りも防止できる。
【発明を実施するための最良の形態】
【００２４】
以下に、本発明の実施の形態について、添付図面とともに説明する。
【実施例１】
【００２５】
図１は、本発明の電子商取引システムのシステム関連図である。
【００２６】
本発明システム１は、利用者がパソコンなどの通信端末器２０から、インターネットなどの通信ネットワークＬを介して、販売者サーバ１０をアクセスして取引できるようにした電子商取引システムである。販売者サーバ１０側では、販売すべき商品の情報が商品データベース１１に登録されている。
【００２７】
この販売者サーバ１０は、Ｗｅｂサーバとして構築されており、購入者が通信端末器２０を操作してアクセスしてきたときには、購入者が購入を希望する商品について、商品データベース１１から対象となる商品の単価等を取り出し、２次元に配列させた桝目状の一覧表欄３０（図５等に図示）を含んだ商品選択画面Ｅ２の画面情報１２を編集し、その画面情報１２を購入者の通信端末器２０に送信して、通信端末器２０の表示画面にブラウザ（不図示）を通じて商品選択画面情報１２をダウンロードさせて表示させ、さらに、その商品選択画面Ｅ２（図２を参照）で商品の選択ができるようにしている。
【００２８】
商品データベース１１は、商品ごとに区分され、２種類以上の商品分類情報と商品の単価とを少なくとも有した商品個別情報１１ａと、複数の関連商品について情報が共通した商品群共通情報１１ｂとを含んで構成される。
【００２９】
販売者サーバ１０は、購入者の通信端末器２０の操作にしたがい、複数の関連商品からなる特定の商品群について、商品群共通情報にもとづく共通事項を商品選択画面Ｅ２の共通欄３０（図５等を参照）に、その商品群に含まれる複数の関連商品の単価等を２次元に配列させた桝目状の一覧表を、商品選択画面Ｅ２の一覧表欄４０（図５等を参照）に表示させる。そして、その商品選択画面Ｅ２で商品が選択され、予定購入数が入力され、発注操作がなされると、その注文情報が販売者サーバ１０に返信される。
【００３０】
本発明システムの機能、処理、商品データベースのデータ項目および表示画面については、図２〜図７に例示する。
【００３１】
図２は、本発明システムの機能構成の例を示した図である。ホームページＡの下位には、販売者用の機能（画面）として、商品個別情報および商品群共通情報を登録、修正できるようにした商品登録・修正画面Ｂ、システムの管理・保守等を目的とした管理画面Ｃなどを有し、購入者用の機能（画面）として、ユーザ登録画面Ｄ、商品選択メニュー画面Ｅ１、桝目状の一覧表で商品を注文できる商品選択画面Ｅ２、複数の一覧表を束ね重合させた商品選択画面Ｅ３（重合表示）などを有している。
【００３２】
販売者用の画面は、販売者サーバ１０またはインターネットＬに接続された端末で、販売者用（または管理者用）の特定のユーザＩＤ、パスワードを入力することによって呼び出される。また、購入者用の画面は、インターネットＬに接続されたパソコン等の購入者の通信端末器２０で、購入者の操作によって呼び出される。
【００３３】
これらのＷｅｂ画面は、販売者サーバ１０側でＨＴＭＬ、ＸＭＬ等のページ記述言語によって記述され画面構成情報ファイルとして準備され、あるいは購入者より要求があったときに動的に生成され、通信端末器２０に搭載したブラウザが、インターネットＬを介してサーバ１０をアクセスして必要とする画面構成情報ファイルをダウンロードし、そのファイル内容にしたがって通信端末器２０の画面に表示する。上述した商品選択画面情報１２も、画面構成情報ファイルとして生成される。
【００３４】
Ｗｅｂ画面はＧＵＩ（グラフィカル・ユーザ・インターフェース）を実現しているため、このようなＷｅｂ画面によりシステムの各種機能を構成すれば、情報の表示だけでなく、パソコン２０からのデータ入力、サーバ１０への送信やページ切り替えなども表示画面を通じて容易に行うことができる。
【００３５】
また、購入者側からの操作要求にもとづいて、サーバ１０側でＣＧＩ（Ｃｏｍｍｏｎ  Ｇａｔｅｗａｙ  Ｉｎｔｅｒｆａｃｅ）またはＳＳＩ（Ｓｅｒｖｅｒ  Ｓｉｄｅ  Ｉｎｃｌｕｄｅ）を駆動して、商品データベース１１から要求された情報を取り出し、その情報にもとづくＷｅｂ画面の画面構成情報ファイルを動的に生成して、購入者用通信端末器２０に表示させることも可能としている。すなわち、販売者サーバ１０は、あらかじめ準備した固定画の画面情報に可変データを含ませて購入者側で表示させる画面構成情報ファイルを生成し、それを要求があった通信端末器２０に送出する。
【００３６】
例えば、購入者用の通信端末器２０で、商品選択メニュー画面Ｅ１を呼び出したのち、そのメニューの中から特定の商品群の商品一覧表が選択されれば、販売者サーバでは、その選択にもとづいて、商品データベース１１の中から対象となる商品群の情報を取り出して、後述するような共通欄３０、一覧表欄４０を含む商品選択画面Ｅ２に種々の商品情報を可変データとして含ませて商品選択画面情報１２を生成して、その画面情報１２を購入者の通信端末器２０に送信して画面表示させるようにしている。
【００３７】
図３は、本発明システム１の要部構成を示したものである。なお、本図においては、本発明システム１の要部である商品選択画面Ｅ２での表示／受付処理１４、商品データベース１１、商品データベース１１へのデータ入力処理１３、注文を受けた際に動作する受注処理１５を図示しているが、ユーザ登録画面Ｄや管理画面Ｃに関する処理、あらかじめ保存されているＨＴＭＬで構成された種々の画面構成情報ファイル、通信処理、購入者通信端末器２０で稼動するブラウザは図示を省略している。以下、各処理を個別に説明する。
【００３８】
データ入力処理１３は、販売者サーバ１０に接続された端末１０Ａから商品登録・修正画面Ｂを介して登録、修正された商品情報を商品データベース１１に保存、更新する動作を実行する。また、商品データベース１１へのデータ入力は、このようなＷｅｂ画面による登録、修正に限られず、メーカーや卸業者の通信端末２１などを通じて提供を受けた商品情報データを、商品データベース１１のレコード情報にフォーマット変換し編集するような処理であってもよい。
【００３９】
表示／注文受付処理１４は、購入者用の通信端末器２０で商品選択メニュー画面Ｅ１を表示したのち、その商品選択メニュー画面Ｅ１で購入者に商品群を選択させ、その商品群の商品選択画面Ｅ２に共通欄３０と一覧表欄４０とを表示し、購入者に一覧表欄４０の各桝目に所望の商品の予定購入数を入力させると、数量入力された商品の合計金額を表示し、さらにその後、購入者に注文を申し込ませるような構成となっている（ステップ１３１〜１３５）。なお、注文受付処理は、発注を確定するものでもよいが、単に販売者サーバ１０側で準備した「買物かご」に商品情報を格納するだけの費用見積算出動作であってもよい。
【００４０】
このような購入者用の通信端末器２０への情報送信は、商品選択画面情報１２を介して行われる。
【００４１】
受注処理１５は、表示／注文受付処理１４により受け付けた注文情報にもとづいて、所定の受注に関する処理、例えば、受注伝票の作成、在庫の確認などの処理を実行する。
【００４２】
また、商品データベース１１は、少なくとも図４に示す項目を含んだレコードを含んで構成される。図４（ａ）は商品個別情報レコード１１ａ、（ｂ）は商品群共通情報レコード１１ｂの項目内容を示したものである。なおここでは、電子商取引で扱う商品種類として衣料品を例示する。
【００４３】
商品個別情報レコード１１ａには、商品ごとに生成されており、商品コード、衣料区分、性別、色、サイズ、販売単価などの情報を含んでいる。ここで、衣料区分とは、紳士夏物衣料（シャツ類）等の大分類商品群を、ポロシャツ、Ｔシャツ、ノースリーブシャツなどのように、小分類商品群ごとに区分したものである。また、衣料区分、性別、色、サイズは商品を区分するための商品分類情報であり、それぞれの分類情報によって抽出、分類できるようになっている。
【００４４】
また、商品群共通情報レコード１１ａには、紳士夏物衣料（シャツ類）、婦人小物類など、複数の個別商品をグルーピングした商品群の共通事項が登録される。そのレコード項目として、商品群コード、商品群名称、素材、販売単位、共通的な商品画像などが含まれる。
【００４５】
なお、商品データベース１１は、上記のレコード区分やレコード構成のものに限られず、他のものであってもよい。少なくとも、商品分類情報、販売単価などが商品別に取り出せる構成であればよい。
【００４６】
図５〜図７は、商品選択画面Ｅ２の画面例を示した図である。
【００４７】
図５は、小分類商品群（ここでは紳士ポロシャツ）の共通情報を表示する共通欄３０と、色を横軸、サイズを縦軸とする２次元配列の桝目状に並べた一覧表欄４０と、さらに合計指令操作部５１、発注指令操作部５３、合計金額表示窓部５２より構成される商品選択画面Ｅ２である。
【００４８】
合計指令操作部５１、合計金額表示窓部５２は、商品選択画面Ｅ２に設けずに、選択商品、購入数を選択した後、別画面で表示するようにしてもよい。商品選択画面Ｅ２に、合計指令操作部５１、合計金額表示窓部５２を組み込んだものは、その画面情報を見ながら、選択した商品を確認しながら、操作できるので、購入者の操作を容易にし、便利である。
【００４９】
共通欄３０には、商品データベース１１の商品群共通情報レコード１１ｂから取り出した商品見本画像３１、商品名、素材、販売単位などの共通事項が表示される。この商品見本画像３１は写真のみならず、シンボルや絵で構成されたものでもよい。
【００５０】
また、一覧表欄４０には、一覧表の縦軸、横軸の交点である各桝目４１の上段には単価４１ａが、下段には予定購入数の入力操作窓部４１ｂが表示される。この入力操作窓部４１ｂは、購入数をテンキーで直接入力されるようにしてもよいし、プルダウンメニューで販売単位の倍数が表示され、その中から選択できるようにしてもよい。
【００５１】
なお、一覧表欄３０にも、シンボルや絵、写真で表示された商品情報を表示させてもよい。例えば、色の項目欄４３に、色の付いたポロシャツのシンボルを表示させたり、各色の列全体をその色で表示させたりすれば、購入者は選択を誤ることなく入力できる。
【００５２】
また、画面の下部には、入力した数量にもとづく合計金額演算指令を要求するための合計指令操作部５１、入力した予定購入数にもとづいて計算された購入合計金額を表示するための合計金額表示窓部５３、および発注指令操作部５２を構成する送信ボタンが配置されている。
【００５３】
購入者がこの画面Ｅ２を呼び出したのち、一覧表欄４０内の所望の桝目４１の入力操作窓部４１ｂに予定購入数を入力し、合計指令操作部５１を操作すると、選択された商品を識別する情報とその予定購入数等が販売者サーバ１０に返信され、サーバ１０では、その商品の予定購入数と単価にもとづき購入合計金額が演算され、さらに、選択した全ての商品について合算され、その合計額を合計金額表示窓部５３に表示させるための商品選択画面情報１２が通信端末器２０に送信され、商品選択画面情報１２を受け取った通信端末器２０ではブラウザの動作によって画面が更新される。そのような操作を繰り返されるごとに表示が更新され、その後、購入者が送信ボタン５３を操作すると、予定購入数の入力済みの商品についての発注データが販売者サーバ１０へ送信される。
【００５４】
また、異種の関連商品について複数の商品選択画面を有する場合には、すでに選択済みの画面の合計金額を合算して総合計金額を演算して表示する構成であってもよい。このような画面構成については、図７で後述する。
【００５５】
なお上述したように、発注データの受付は、商品選択メニュー画面Ｅ１などで事前にユーザＩＤを入力させ、それにもとづいて発注を確定させるような動作であってもよいし、次のステップの注文確定画面（不図示）で完全確定するまでの仮確定（買物かごに入れる）動作であってもよい。
【００５６】
また本例では、合計額の算出を販売者サーバ１０側で行うようにしているが、商品選択メニュー画面Ｅ１で商品群が選択され、商品選択画面情報１２が送られてくるときに、その情報に合計金額算出用の演算プログラムをスクリプトとして含ませたものを送信しておいてもよい。つまり、購入者が商品を選択して予定購入数を入力して合計指令操作部５１を操作したときには、販売者サーバ１０側には算出要求されず、通信端末器２０にダウンロードした商品選択画面情報１２に含まれる合計金額演算ロジック（プログラム）で合計金額の算出が行われる。また、通信端末器２０側で演算をする場合には、合計指令操作部５１による指令を省略するような構成であってもよい。
【００５７】
また、購入者の通信端末器２０が販売者サーバ１０から配信された販売支援ソフトを予めインストールしておき、販売者サーバをアクセスして商品選択画面Ｅ２から要求操作をしたときに、上記販売支援ソフトを駆動させて合計金額を算出させるようにしてもよい。また、販売支援ソフトに購入履歴や商品ポイントの累計などの処理をさせて、購入者にとって便利な情報を通信端末器側に保存できるようにしてもよい。
【００５８】
以上のように、商品の選択および予定購入数の入力が２次元配列で構成された桝目状の一覧表欄４０で行えるため、購入者は複数の個別商品を１つの画面で選択でき、かつ購入数を入力でき、そのため、注文確定までが短時間で行える。また、購入数を入力すれば購入合計金額が演算されて表示されるので、１つの画面だけで注文を確定させることができる。
【００５９】
また、画像等の共通欄３０は一覧表欄４０と同一の商品選択画面Ｅ２上で、一覧表欄４０とは分離されて表示されるので、見本画像３１や素材、メーカーなどの共通事項を、商品選択する画面と同じ画面上で見やすく確認することができ、きわめて便利である。この共通欄３０に表示する共通事項を、画面上だけではなく、データベース１１のレコードにおいても、上記のように商品個別情報とは別の商品群共通情報として分けて、そのレコードに応じた入力画面を準備すれば、販売者側での入力も時間がかからず、データ登録の省力化が図れる。
【００６０】
図６は、商品選択画面Ｅ２の他例を示すもので、商品分類情報の全ての項目が、一覧表欄４０と同一の画面で表示、選択できるようにした画面例である。なお、本例でも関連商品に共通する情報を共通欄に表示するようにしているが、本図では共通欄の図示を省略する。
【００６１】
この画面では、一覧表欄４０の縦軸、横軸の各項目を購入者が自由に選択できるようになっている。購入者が、対象商品選択メニュー欄４２で、性別を「紳士用」、色を「赤」と選択すると、紳士用の赤色指定の紳士夏物衣料（シャツ類）の商品が抽出され、横軸を衣料区分、縦軸をサイズとする一覧表欄４０が表示される。また、対象商品選択メニュー欄４２で随時、選択変更すれば、それに応じて分類された一覧表欄４０を表示することができる。
【００６２】
また、選択の方法は、一覧表欄４０の縦軸、横軸の項目を直接、指定できるような方法であってもよい。
【００６３】
なお、桝目４１への予定購入数の入力、合計購入金額の演算、表示、および注文確定については、図５の例と同様であるため説明を省略する。
【００６４】
このような画面によれば、商品分類情報が多い場合にも、商品を絞り込んで一覧表示することができるので、操作がしやすく、費用見積するまで、さらには注文確定するまでに時間を要しない。
【００６５】
図７は、図２に示した商品選択画面（重合表示）Ｅ３の一例を示すもので、商品分類情報のうちの３種類の商品分類情報を束ねて重合表示した一覧表欄４０を表示するようにしたものである。なお、本図においても共通欄の図示は省略する。
【００６６】
図例では、衣料区分を横軸、サイズを縦軸とし、色をタブ４０ｂで設定できるようにしたものを示している。この画面Ｅ３では、横軸、縦軸の２次元配列で桝目状に表わされた一覧表４０ａが複数枚、重ね合わせて表示される。つまり、この一覧表欄４０は、複数の２次元配列の一覧表４０ａが重なり合って表示されるものである。
【００６７】
購入者が複数の２次元一覧表４０ａの中から、左肩の色指定タブ４０ｂを操作すると、目的とする色区分の２次元一覧表４０ａの全面が表示され、その一覧表４０ａの桝目４１の中から所望の商品を選択できるようになっている。また、全ての２次元一覧表４０ａのタブ４０ｂが表示できない場合には、スクロール操作によって移動表示できるようになっている。
【００６８】
購入者が複数の２次元一覧表４０ａを切り替えながら、各桝目４１の入力操作窓部４１ｂに予定購入数を入力し、合計指令操作部５１を操作すると、その一覧表４０ａ内の合計購入金額が合計金額表示窓部５２に表示される。
【００６９】
また、すでに他の２次元一覧表４０ａで選択、入力済みの商品の合計金額を合算されて総合計金額表示窓部５４に表示される。そして、送信ボタン５３を操作すれば、予定購入数を入力した全ての商品について注文が受け付けられる。
【００７０】
なお、２次元一覧表４０ａが、購入数の入力済みか、未入力かをひと目でわかるようにするため、いったん選択、入力された一覧表４０ａについては、色指定タブ４０ｂを色替え表示するようにしてもよいし、その一覧表４０ａについての合計購入金額を色指定タブ４０ｂの横などの表示欄４０ｃに表示させるようにしてもよい。
【００７１】
これらの合計金額表示窓部５２、総合計金額表示窓部５４へ表示するための演算は、販売者サーバ１０、購入者の通信端末器１１のいずれで行ってもよいが、通信端末器１１側でダウンロードした演算プログラムにより行う場合には、総合計金額を演算するために、他の２次元一覧表４０ａで算出済みの合計購入金額を総合計表示欄４０ｃに表示させて、その情報を使用して通信端末器１１側で演算できるようにすればよい。
【００７２】
このように、３種類の商品分類情報によって分類される商品の全てを１つの画面上に重ね合わせて表示し、かつ商品の数量入力もできるようにしているため、購入者にとって、所望の商品を選択、注文するまでの時間が短縮できる。
【図面の簡単な説明】
【００７３】
【図１】本発明の電子商取引システムのシステム関連図である。
【図２】本発明システムの画面構成例を示した図である。
【図３】本発明システムの要部構成を示したブロック図である。
【図４】（ａ）は商品個別情報レコード、（ｂ）は商品群共通情報レコードの項目内容を示した図である。
【図５】共通欄と一覧表欄とより構成される商品選択画面である。
【図６】商品選択画面の他例を示す図である。
【図７】一覧表欄を重合させた商品選択画面の例を示す図である。
【符号の説明】
【００７４】
１      電子商取引システム
１０      販売者サーバ
１１      商品データベース
１１ａ      商品個別情報レコード
１１ｂ      商品群共通情報レコード
１２      商品選択画面情報
２０      購入者の通信端末器
Ｌ      通信ネットワーク
Ｅ２      商品選択画面
Ｅ３      商品選択画面（重合表示）
３０      共通欄
４０      一覧表欄
４１      桝目
４１ａ      単価表示欄
４１ｂ      予定購入数の入力操作窓部
５１      合計指令操作部
５２      合計金額表示窓部
５３      発注指令操作部
【図１】
2007115184.tif 000003
【図２】
2007115184.tif 000004
【図３】
2007115184.tif 000005
【図４】
2007115184.tif 000006
【図５】
2007115184.tif 000007
【図６】
2007115184.tif 000008
【図７】
2007115184.tif 000009